(57)【要約】【課題】再生のみではなく記録再生も出来る市場に流通しているシステム立ち上げプログラムの異なる多くの種類の記録媒体を用いることが可能で、かつ情報の記録再生処理を短時間に行うことが出来る記録再生装置を提供する。【解決手段】読み取り部８と、読み取り部８で読み取った記録媒体の第１初期設定データ値を格納する初期設定記録部１１と、トレイがドライブに収納されているか否かを検出する検出部９と、記録媒体の記号と記号に対応した固有の識別コードとを比較して一致するか否かを行う比較判定部１０と、比較判定部１０で一致していると判定された場合には、第１初期設定データ値を用い、一致していないと判定された場合には第２初期設定データ値を用いて記録再生を行わせる制御部４と、第２初期設定データ値を初期設定記録部に記録させる書き込み部１３と、を備える。【選択図】  図１
2007226910.tif 000002
【特許請求の範囲】
【請求項１】
記録媒体を載置するトレイを収納するドライブを有し、前記トレイが前記ドライブに収納されたことを検知して、前記記録媒体の記録又は再生を行う記録再生装置において、
前記トレイに載置された前記記録媒体の種類を示す種類別データと前記データに対応した固有の識別コードデータとを読み取る読み取り部と、
前記読み取り部で読み取った前記記録媒体の種類を示す種類別データと前記データに対応した固有の識別コードデータとで識別される前記記録媒体の第１初期設定データ値を前記データ及び前記固有の識別コードデータと共に格納する初期設定記録部と、
前記トレイが前記ドライブに収納されているか否かを検出する検出部と、
前記記録媒体と同一又は異なる記録媒体を前記トレイに載置して前記ドライブに収納されて、前記検出部で検出された場合に、前記初期設定記録部に格納されている前記種類別データと前記データに対応した固有の識別コードデータと、前記読み取り部で読み取った前記トレイ上に載置されている前記同一又は異なる記録媒体の前記種類別データと前記データに対応した固有の識別コードデータとを比較して一致するか否かを行う比較判定部と、
前記比較判定部で一致していると判定された場合には、前記初期設定記録部に格納されている前記第１初期設定データ値を用いて、前記ドライブに収納され、前記トレイ上に載置された前記記録媒体の記録再生を行わせ、前記比較判定部で一致していないと判定された場合には、前記記録媒体と異なる記録媒体の所定領域に記録されている第２初期設定データ値を用いて、前記ドライブに収納され、前記トレイ上に載置された前記記録媒体の記録再生を行わせる制御部と、
前記第２初期設定データ値を前記読み取り部で読み取った前記異なる記録媒体の種類を示す種類別データと前記データに対応した固有の識別コードデータと共に前記初期設定記録部に記録させる書き込み部と、
を備えたことを特徴とする記録再生装置。
【発明の詳細な説明】
【技術分野】
【０００１】
本発明は、ＣＤ−ＲＯＭのような再生専用の記録媒体（光ディスク）に記録された情報の再生や、ＤＶＤ−Ｒ、ＤＶＤ−ＲＷ等の記録媒体を用いて情報の記録再生をする記録再生装置に関する。
【背景技術】
【０００２】
従来、特許文献１に記載されているように、ＣＤ−ＲＯＭのような再生専用の記録媒体（光ディスク）に記録された情報を読み出す場合、システム立ち上げプログラムは予め固定しておき、記録媒体に記録されている初期設定データを、まず、再生装置に取り込んでから、初期設定データに基づいて再生装置を稼動し、記録媒体に記録された情報を読み出していた。
図４に、従来の再生装置の構成の概要を示す。
【０００３】
図４に示すように、従来の再生装置１００は、ＣＤ−ＲＯＭドライブ１０１と、データ処理部１０２と、インターフェイス部１０３と、ディスクドライブ制御部１０４と、ＣＰＵ１０５と、ＲＯＭ１０６と、ＲＡＭ１０７と、入力部１０８と、表示部１０９と、から構成されていた。
【０００４】
ＣＤ−ＲＯＭドライブ１０１は、ＣＤ−ＲＯＭ（再生専用記録媒体）を装着し、ＣＤ−ＲＯＭに記録されているデータを読み出して再生する。ＣＤ−ＲＯＭに記録されているデータには情報のデータと識別コードと初期設定データとが記録されている。
データ処理部１０２は、ＣＤ−ＲＯＭドライブ１０１で再生されたデータから情報の再生データと、識別コードと初期設定データとに識別する。
インターフェイス部１０３は、各部間のデータの中継を行う。
【０００５】
ディスクドライブ制御部１０４は、ＣＰＵ１０５とＲＯＭ１０６とＲＡＭ１０７とからなり、ＲＯＭ１０６に固定して記憶してあるＣＤ−ＲＯＭに共通なシステム立ち上げプログラムとＲＡＭ１０７にデータ処理部１０２により識別されたＣＤ−ＲＯＭ毎に異なる識別コードと初期設定データとを記憶させた後、このシステム立ち上げプログラムと初期設定データとを用いてＣＰＵ１０５によりＣＤ−ＲＯＭドライブ１０１を制御する。
入力部１０８は、キーボード等を用いてＣＤ−ＲＯＭドライブ１０１の駆動等を指示する入力データを生成する。
表示部１０９は、入力部１０８からのキーボード入力データ等を表示する。
【０００６】
次に、従来の再生装置１００の動作について説明する。
まず、ＣＤ−ＲＯＭドライブ１０１にＣＤ−ＲＯＭを装着する。
次に、ＣＤ−ＲＯＭに記録されている識別コードをＲＡＭ１０７に送りＲＡＭ１０７に記憶されている識別コードと比較する。
ＲＡＭ１０７に記憶されている識別コードとＣＤ−ＲＯＭに記録されている識別コードとが一致しないと、ＣＤ−ＲＯＭから初期設定データをＲＡＭ１０７に送り、ＣＤ−ＲＯＭに記憶されていた識別コードとともにＲＡＭ１０７に記憶する。
ＲＡＭ１０７に記憶されている識別コードとＣＤ−ＲＯＭに記録されている識別コードが一致すれば、ＲＡＭ１０７はそのままの状態を保つ。
【０００７】
そして、ＲＯＭ１０６に記憶してあるシステム立ち上げプログラムとＲＡＭ１０７に記憶されている初期設定データとを用いてＣＰＵ１０５によりＣＤ−ＲＯＭドライブ１０１を制御し、ＣＤ−ＲＯＭに記録されている情報を読み出してデータ処理部１０２から再生データとして出力する。
【０００８】
このようにして、ＣＤ−ＲＯＭに記録されている情報を再生する際に、ＣＤ−ＲＯＭに記録されている識別コードとＲＡＭ１０７に記憶されている識別コードが同じであれば、ＲＡＭ１０７に記憶されている初期設定データをそのまま用いることにより、ＣＤ−ＲＯＭに記録されている情報の再生を短時間に行うことが出来る。
【特許文献１】特開平０７−１９２３８６号公報
【発明の開示】
【発明が解決しようとする課題】
【０００９】
従来の再生装置は、システム立ち上げプログラムがＣＤ−ＲＯＭ専用としてＲＯＭ１０６に固定されて記憶されているため、ＲＡＭ１０７に初期設定データを記録媒体から読み出して用いるだけでは、システム立ち上げプログラムの異なる、市場に流通している多くの種類の記録媒体を用いることは出来ないという問題点があった。
また、ＲＯＭ１０６にシステム立ち上げプログラム、ＲＡＭ１０７に初期設定データを別々に記録してシステムの稼動を行っているため、情報の再生処理に時間がかかると言う問題点があった。
【００１０】
そこで、本発明は、上記のような問題点を解消するためになされたもので、再生のみではなく記録再生も出来る市場に流通しているシステム立ち上げプログラムの異なる多くの種類の記録媒体を用いることが可能で、かつ情報の記録再生処理を短時間に行うことが出来る記録再生装置を提供することを目的とする。
【課題を解決するための手段】
【００１１】
本願発明における第１の発明は、記録媒体を載置するトレイを収納するドライブを有し、前記トレイが前記ドライブに収納されたことを検知して、前記記録媒体の記録又は再生を行う記録再生装置において、前記トレイに載置された前記記録媒体の種類を示す種類別データと前記データに対応した固有の識別コードデータとを読み取る読み取り部と、前記読み取り部で読み取った前記記録媒体の種類を示す種類別データと前記データに対応した固有の識別コードデータとで識別される前記記録媒体の第１初期設定データ値を前記データ及び前記固有の識別コードデータと共に格納する初期設定記録部と、前記トレイが前記ドライブに収納されているか否かを検出する検出部と、前記記録媒体と同一又は異なる記録媒体を前記トレイに載置して前記ドライブに収納されて、前記検出部で検出された場合に、前記初期設定記録部に格納されている前記種類別データと前記データに対応した固有の識別コードデータと、前記読み取り部で読み取った前記トレイ上に載置されている前記同一又は異なる記録媒体の前記種類別データと前記データに対応した固有の識別コードデータとを比較して一致するか否かを行う比較判定部と、前記比較判定部で一致していると判定された場合には、前記初期設定記録部に格納されている前記第１初期設定データ値を用いて、前記ドライブに収納され、前記トレイ上に載置された前記記録媒体の記録再生を行わせ、前記比較判定部で一致していないと判定された場合には、前記記録媒体と異なる記録媒体の所定領域に記録されている第２初期設定データ値を用いて、前記ドライブに収納され、前記トレイ上に載置された前記記録媒体の記録再生を行わせる制御部と、前記第２初期設定データ値を前記読み取り部で読み取った前記異なる記録媒体の種類を示す種類別データと前記データに対応した固有の識別コードデータと共に前記初期設定記録部に記録させる書き込み部と、を備えたことを特徴とする記録再生装置を提供する。
【発明の効果】
【００１２】
記録媒体より情報を記録再生する記録再生装置において、記録媒体を載置するトレイを収納するドライブを有し、トレイがドライブに収納されたことを検知して、記録媒体の記録又は再生を行う記録再生装置において、トレイに載置された記録媒体の種類を示す種類別データとデータに対応した固有の識別コードデータとを読み取る読み取り部と、読み取り部で読み取った記録媒体の種類を示す種類別データとデータに対応した固有の識別コードデータとで識別される記録媒体の第１初期設定データ値をデータ及び前記固有の識別コードデータと共に格納する初期設定記録部と、トレイがドライブに収納されているか否かを検出する検出部と、記録媒体と同一又は異なる記録媒体をトレイに載置してドライブに収納されて、検出部で検出された場合に、初期設定記録部に格納されている種類別データとデータに対応した固有の識別コードデータと、読み取り部で読み取ったトレイ上に載置されている同一又は異なる記録媒体の種類別データとデータに対応した固有の識別コードデータとを比較して一致するか否かを行う比較判定部と、比較判定部で一致していると判定された場合には、初期設定記録部に格納されている第１初期設定データ値を用いてドライブに収納され、トレイ上に載置された記録媒体の記録再生を行わせ、比較判定部で一致していないと判定された場合には、記録媒体と異なる記録媒体の所定領域に記録されている第２初期設定データ値を用いて、ドライブに収納され、トレイ上に載置された記録媒体の記録再生を行わせる制御部と、第２初期設定データ値を読み取り部で読み取った異なる記録媒体の種類を示す種類別データとデータに対応した固有の識別コードデータと共に初期設定記録部に記録させる書き込み部と、を備えることにより、再生のみではなく記録再生も出来る市場に流通しているシステム立ち上げプログラムの異なる多くの種類の記録媒体を用いることが可能で、かつ情報の記録再生処理を短時間に行うことが出来る。
【発明を実施するための最良の形態】
【００１３】
以下に本発明の実施形態に係る記録再生装置について図１〜図２を用いて説明する。
図１は、本発明の実施形態に係る記録再生装置の構成を示す図である。
図２は、本発明の実施形態に係るフローチャートを示す図である。
図３は、初期設定情報を使用回数毎に順位を定めて記録することを示す図である。
【００１４】
図１に示すように、本発明の実施形態に係る記録再生装置１は、ディスクドライブ２（記録再生部）と、インターフェイス３と、ディスクドライブ制御部４と、入力部５と、表示部６と、ＣＰＵ７と、読み取り部８と、検出部９と、比較判定部１０と、初期設定記録部（初期設定情報記録部）１１と、システム起動部１２と、書き込み部１３と、から構成される。
【００１５】
ディスクドライブ２は、ＣＤ−ＲＯＭ等の再生専用の記録媒体や、ＤＶＤ＋Ｒ、ＤＶＤ−Ｒ、ＤＶＤ−ＲＷ、ＤＶＤ−ＲＡＭ等の記録再生が可能な記録媒体を装着して、これらの記録媒体の記録再生を行う。
インターフェイス３は、各部間のデータの中継を行う。
ディスクドライブ制御部４は、ＣＰＵ７と、読み取り部８と、検出部９と、比較判定部１０と、初期設定記録部１１と、システム起動部１２と、書き込み部１３と、からなり、起動時ディスク情報及び記録媒体の初期設定情報（種類、識別コード、初期設定データ、システム立ち上げプログラム等）に基づいて記録媒体を制御する。
入力部４は、キーボード等を用いて、ディスクドライブ２等を指示する入力データを生成する。
表示部６は、入力部１０８からのキーボード入力データ等を表示する。
ＣＰＵ７は、記録再生装置１における情報、動作等を制御する。
読み取り部８は、記録媒体の情報から起動時ディスク情報及び記録媒体の種類、識別コードを抽出する。
【００１６】
検出部９は、読み取り部８で抽出されたディスクのトレイの有無情報から起動時にディスクのトレイが装着されていたかいないかを判別し、有であれば初期設定記録部１１で最後に使用された初期設定情報を指定し、無であれば初期設定記録部１１での指定は行わず、比較判定部１０を動作させる。
【００１７】
比較判定部１０は、検出部９で無の判別が為された時に動作し、読み取り部８で抽出された種類、識別コードと初期設定記録部１１に記録されている初期設定情報の種類、識別コードとを比較し、同じものがあれば、その初期設定情報を指定し、無ければ新たに記録媒体から初期設定情報を初期設定記録部１１に記録した後、記録した初期設定情報を指定する。
【００１８】
初期設定記録部１１は、記録再生装置で使用された記録媒体の初期設定情報を複数記録して置くともに、検出部９或いは比較判定部１０で種類、識別コードが指定された初期設定情報の初期設定データ、システム立ち上げプログラムをシステム起動部１２へ伝送する。初期設定記録部１１では、複数の初期設定情報を記録するため、情報量が多く高速性が要求されるので、ハードディスク、フラッシュメモリ等を使用する。
システム起動部１２は、初期設定記録部１１から伝送された初期設定データ、システム立ち上げプログラムをＩＣメモリに記録した後、この初期設定データ、システム立ち上げプログラムに基づいてディスクドライブを稼動し、記録媒体の情報の記録再生を行う。システム起動部１２では、特に高速性を要求されるためＤＲＡＭやＳＲＡＭ等の高速動作の可能なＩＣメモリを用いる。
書き込み部１３は、新たな記録媒体から初期設定情報を読み出して初期設定記録部１１に書き込む。
【００１９】
次に、本発明の実施形態に係る記録再生装置１の動作について説明する。
１）初期設定記録部１１に初期設定情報が記録されていない場合：
記録再生装置１を稼動させ、ディスクドライブ２に所定の記録媒体を装着する。
そして、読み取り部８では、まず、起動時に記録媒体が装着されていないとの情報を抽出し、この抽出された情報により検出部９で起動時にはディスク（トレイ）が無であるとの判別がなされ、この無の判別により比較判定部１０が動作し、読み取り部８経由で所定の記録媒体の種類、識別コードを比較判定部１０に取り込む。
【００２０】
次に、比較判定部１０では、取り込んだ所定の記録媒体の種類、識別コードと、初期設定記録部１１に記録されている初期設定情報の種類、識別コードとを比較するが、一致する初期設定情報が無いので、所定の記録媒体から初期設定情報を書き込み部１３で取り込み初期設定記録部１１に記録した後、指定する。
【００２１】
そして、指定された初期設定情報を初期設定記録部１１からシステム起動部１２へ転送し、転送された初期設定情報のうちの初期設定データ、システム立ち上げプログラムをＩＣメモリに記録した後、この初期設定データ、システム立ち上げプログラムに基づいてディスクドライブを稼動し、記録媒体の情報の記録再生を行う。
【００２２】
このように、初期設定記録部１１に初期設定情報が記録されていない場合は、所定の記録媒体から初期設定情報を読み込み、システム起動部１１に記録してからディスクドライブを稼動し、記録媒体の情報の記録再生を行う。
使用する記録媒体の種類に応じた初期設定情報を、その都度読み込んでから記録媒体の情報の記録再生を行うため、多くの種類の記録媒体を使用することが出来る。
また、初期設定情報の中の初期設定データとシステム立ち上げプログラムをシステム起動部で同時に制御するため記録媒体の情報の記録再生が効率よく行われ情報の高速処理が出来る。
【００２３】
２）初期設定記録部１１に初期設定情報が記録されている場合：
記録再生装置１を稼動させ、ディスクドライブ２に所定の記録媒体を装着する。
次に、読み取り部８では、起動時には記録媒体が装着されていないとの情報を抽出し、この抽出された情報により検出部９で無の判別がなされ、この無の判別により比較判定部１０が動作し、読み取り部８経由で所定の記録媒体の種類、識別コードを比較判定部１０に取り込む。
【００２４】
そして、比較判定部１０では、取り込んだ所定の記録媒体の種類、識別コードと、初期設定記録部１１に記録されている初期設定情報の種類、識別コードとを比較し、一致する初期設定情報を指定する。
【００２５】
次に指定された初期設定情報を初期設定記録部１１からシステム起動部１２へ転送し、転送された初期設定情報のうちの初期設定データ、システム立ち上げプログラムをＩＣメモリに記録した後、この初期設定データ、システム立ち上げプログラムに基づいてディスクドライブを稼動し、記録媒体の情報の記録再生を行う。
【００２６】
このように、初期設定記録部１１に初期設定情報が記録されている場合は、記録媒体から初期設定情報の種類、識別コードを読み込み初期設定記録部１１から読み込んだ種類、識別コードと一致する初期設定情報をシステム起動部１１に転送記録してからディスクドライブを稼動し、記録媒体の情報の記録再生を行うので、使用する記録媒体の種類に応じた初期設定情報を、記録媒体から時間をかけて読み込む必要が無いため、記録媒体の記録再生を素早く行うことが出来る。
【００２７】
３）初期設定記録部１１に初期設定情報が記録されており、ディスクドライブ２に      前回使用した記録媒体がそのまま装着されている場合：
記録再生装置１を稼動させ、ディスクドライブ２には記録媒体が装着されたままとする。
次に、読み取り部８では、起動時にディスクが装着されているとの情報を抽出し、この抽出された情報により検出部９で起動時にディスク有の判別がなされ、この有の判別により初期設定記録部１１において前回使用した初期設定情報が指定される。
【００２８】
そして、指定された初期設定情報を初期設定記録部１１からシステム起動部１２へ転送し、転送された初期設定情報のうちの初期設定データ、システム立ち上げプログラムをＩＣメモリに記録した後、この初期設定データ、システム立ち上げプログラムに基づいてディスクドライブを稼動し、記録媒体の情報の記録再生を行う。
【００２９】
このように、ディスクドライブ２に記録媒体が装着された状態のままとすると、初期設定記録部１１の前回使用した初期設定情報がシステム起動部１１に転送記録されてすぐにディスクドライブを稼動し、記録媒体の情報の記録再生を行うので、記録媒体の記録再生をもっとも早く行うことが出来る。
【００３０】
次に、図２に示すフローチャートを用いて本発明の実施形態に係る記録再生装置の動作について説明する。
１）読み取り部８において記録媒体に記録されている設定情報から初期設定情報を    抽出（Ｓ１）
２）検出部９で初期設定情報から起動時ディスク（トレイ）を検出（Ｓ２）
３）起動時ディスクが無（ＹＥＳ）であれば比較判定部１０の初期設定情報で示さ    れる種類と初期設定記録部１１に記録されている種類の一致を検出（Ｓ３）
４）種類が一致（ＹＥＳ）であれば比較判定部１０の初期設定情報で示される識別    コードと初期設定記録部１１に記録されている識別コードの一致を検出（Ｓ４）
５）種類、識別コードのいずれかが不一致の場合は記録媒体の初期設定情報を初期    設定記録部１１に記録し、その初期設定情報を指定（Ｓ５）
６）種類、識別コードが一致した場合は初期設定記録部１１に記録してある初期設    定情報を指定（Ｓ６）
７）起動時ディスク（トレイ）が有（ＮＯ）であれば、前回使用して初期設定記録    部１１に記録してある初期設定情報を指定（Ｓ７）
８）Ｓ５〜Ｓ７で指定された初期設定情報をシステム起動部１２へ転送（Ｓ８）
９）システムを起動（Ｓ９）
１０）記録媒体への情報のデータ記録再生を行う（Ｓ１０）
１１）データ記録再生終了後システム起動部１２に記録されている初期設定情報を      初期設定記録部１２へ転送し最上位の位置（前回使用）に記録し、他の位置に記録      されている同じ初期設定情報は削除する。
【００３１】
図３に示すように、記録媒体の記録再生を繰り返し行う場合、使用回数を記録媒体の種類と識別コード毎に記録しておき、初期設定記録部１１の順位を使用回数の多い順に並び替え、所定の初期設定情報を使用回数が多いほど早く読み出せるようにしてもよい。
【００３２】
以上述べてきたように、このようにして、システム立ち上げプログラムを固定することなく、使用する記録媒体の種類に応じたシステム立ち上げプログラムを含む初期設定情報を、その都度読み込んでから記録媒体の情報の記録再生を行うことにより、多くの種類の記録媒体を使用することが出来る。
そして、初期設定情報の中の初期設定データとシステム立ち上げプログラムをシステム起動部で同時に制御するため記録媒体の情報の記録再生が効率よく行われ情報の高速処理が出来る。
さらに、１度使用した記録媒体の初期設定情報を初期設定記録部１１に記録しておくことで、記録媒体の記録再生を繰り返し行う場合の、起動時間を早くすることが出来る。
【図面の簡単な説明】
【００３３】
【図１】本発明の実施形態に係る記録再生装置の構成を示す図である。
【図２】本発明の実施形態に係るフローチャートを示す図である。
【図３】初期設定情報を使用回数毎に順位を定めて記録することを示す図である。
【図４】従来の再生装置の構成の概要を示す図である。
【符号の説明】
【００３４】
１・・・記録再生装置、２・・・ディスクドライブ（記録再生部）、３・・・インターフェイス、４・・・ディスクドライブ制御部（制御部）、５・・・入力部５、６・・・表示部、７・・・ＣＰＵ、８・・・読み取り部、９・・・検出部、１０・・・比較判定部、１１・・・初期設定記録部、１２・・・システム起動部、１３…書き込み部
【図１】
2007226910.tif 000003
【図２】
2007226910.tif 000004
【図３】
2007226910.tif 000005
【図４】
2007226910.tif 000006